(57)【特許請求の範囲】
【請求項１】
ファスナーテープ１２の側縁１３または折曲側縁１４から噛合頭部１９が突出する形状に線条ファスナーエレメント５を取付け、線条ファスナーエレメント５の上端における複数個の噛合頭部１９と反転部２０とが他の噛合頭部１９と反転部２０よりもファスナーテープ１２の内側へ配置し、左右の噛合頭部１９が対向したとき不噛合状に形成するとともに、該部分の線条ファスナーエレメント５における噛合頭部１９の近傍とファスナーテープ１２との接触部分を溶着Ｕ1 し固定して上止１を形成し、反転部２０がスライダー２５に当接する停止機構を備えたことを特徴とする線条スライドファスナーの上止。
【請求項２】
線条ファスナーエレメント５とファスナーテープ１２とを溶着Ｕ1 固定した部分の線条ファスナーエレメント５は、反転部２０がスライダー２５のフランジ２７の内壁面２９に当接する停止機構を備えてなる請求項１記載の線条スライドファスナーの上止。
【請求項３】
線条ファスナーエレメント５とファスナーテープ１２とを溶着Ｕ1 固定した部分の線条ファスナーエレメント５は、反転部２０がフランジ２７の先端部３０に当接する停止機構を備えてなる請求項１記載の線条スライドファスナーの上止。
【発明の詳細な説明】
【技術分野】
【０００１】
この発明は、ファスナーテープの側縁に合成繊維のモノフィラメントから形成した線条ファスナーエレメントを取付け、その上端部に線条ファスナーエレメントを加工して上止を形成した線条スライドファスナーの上止に関するものである。
【背景技術】
【０００２】
従来、合成繊維のモノフィラメントから形成した線条ファスナーエレメントをファスナーテープの側縁、またはＵ字状に折曲したファスナーテープの折曲縁部に縫着した線条スライドファスナーにおいて、図１０に示すようにスライドファスナーの上端部にある適数個の線条ファスナーエレメントを超音波加工または高周波加工手段によって加圧溶融し、ファスナーテープ、芯紐、縫糸などを一体的に溶着するとともに、連接する他のファスナーエレメントの噛合頭部および反転部よりも両側へ幅広く突出させて上止を形成した線条スライドファスナーの上止が知られている。
【特許文献１】実公昭４６−１１４８号公報
【発明の開示】
【発明が解決しようとする課題】
【０００３】
前述の図１０に示した線条スライドファスナーの上止は、スライドファスナーの上端部にある数個の線条ファスナーエレメントを超音波加工または高周波加工によって加圧溶融し、ファスナーテープ、芯紐、縫糸などを一体に溶着した上止であるため、上止の表面にバリが生じ易く、上止自体が硬直で肌触りが悪く、例えば各種のシャツ、ジャケットなどの衣服の打ち合わせ部分に用いると首に上止が接触して不快感を与える。また衣服などへの縫製作業がスムーズに行えない恐れがある。
【０００４】
この発明は、上述の問題点を考慮して発明されたものであり、請求項１記載の発明はスライドファスナーにおける上止自体が硬直化せず、柔軟性を備え、かつ上止の表面にバリが発生しない肌触りのよい良質の上止を、簡易な作製手段たとえばファスナーエレメントをファスナーテープの内側へ押し込み、ファスナーエレメントの左右の噛合頭部が対向したとき不噛合状態になるように形成するとともに、反転部がスライダーに当接し、スライダーの摺動を確実に停止させる機構を備えたスライダーを安価に作製できる通常タイプおよび隠蔽タイプの線条スライドファスナーの上止を提供することが主たる目的である。
【０００５】
請求項２記載の発明は、請求項１記載の発明の目的に加え、線条ファスナーエレメントをファスナーテープに溶着して形成した上止は、反転部の端面がスライダーのフランジにおける内壁面に当接してスライダーをストップさせる通常タイプおよび隠蔽タイプの線条スライドファスナーの上止を提供することが目的である。
【０００６】
請求項３記載の発明は、請求項１記載の発明の目的に加え、線条ファスナーエレメントをファスナーテープに溶着して形成した上止は、反転部がスライダーのフランジの先端に当接してスライダーをストップさせる通常タイプおよび隠蔽タイプの線条スライドファスナーの上止を提供することが目的である。
【課題を解決するための手段】
【０００７】
前記の目的を達成するため、この発明のうち請求項１記載の発明は、スライドファスナーにおけるファスナーテープ１２の側縁１３または折曲側縁１４からコイル状またはジグザグ状の線条ファスナーエレメント５の噛合頭部１９が突出する形状に線条ファスナーエレメント５を取付け、この線条ファスナーエレメント５の上端における複数個の噛合頭部１９と脚部２１を介して連結する反転部２０とを他の噛合頭部１９と反転部２０よりもファスナーテープ１２の内側へ押し込んで、噛合頭部１９がファスナーテープ１２の側縁１３または折曲側縁１４と略一致させ、左右の噛合頭部１９が対向したとき不噛合状態になるように形成するとともに、反転部２０がスライダー２５に当接する形に形成し、この部分における線条ファスナーエレメント５とファスナーテープ１２とを溶着Ｕ1 し固定して上止１を形成した通常タイプまたは隠蔽タイプの線条スライドファスナーの上止を主な構成とするものである。
【０００８】
請求項２記載の発明は、請求項１記載の発明の構成に加え、コイル状またはジグザグ状の線条ファスナーエレメント５とファスナーテープ１２とを溶着Ｕ1 し固定して、上止１を形成した部分の線条ファスナーエレメント５は、線条ファスナーエレメント５の反転部２０の端面がスライダー２５のフランジ２７の内壁面２９に当接することによって、スライダー２５を停止させることが可能な通常タイプまたは隠蔽タイプの線条スライドファスナーの上止である。
【０００９】
請求項３記載の発明は、請求項１記載の発明の構成に加え、コイル状またはジグザグ状の線条ファスナーエレメント５とファスナーテープ１２とを溶着Ｕ1 し固定して、上止１を形成した部分の線条ファスナーエレメント５は、線条ファスナーエレメント５の反転部２０がスライダー２５のフランジ２７の先端部３０に当接することによって、スライダー２５を停止させることが可能な通常タイプまたは隠蔽タイプの線条スライドファスナーの上止である。
【発明の効果】
【００１０】
この出願の発明の効果として、請求項１記載の発明は、ファスナーテープの側縁または折曲側縁から噛合頭部が突出する形状に線条ファスナーエレメントを取付け、線条ファスナーエレメントの上端における複数個の噛合頭部と反転部とが他の噛合頭部と反転部よりもファスナーテープの内側へ配置し、左右の噛合頭部が対向したとき不噛合状に形成するとともに、反転部がスライダーに当接する形に形成し、該部分の線条ファスナーエレメントとファスナーテープとを溶着し固定して上止を形成したことによって、他の素材を付加することなく線条ファスナーエレメントの上端の左右のファスナーエレメントの噛合頭部とこれに連結する反転部とをファスナーテープの内側へ後退させ、噛合頭部が対向したとき、不噛合状態となるように形成して、ファスナーエレメントとファスナーテープとを溶着して上止を形成し、スライダーに当接させるので、上止の表面が柔軟でバリが生じない品質のよい上止を低コストで、しかも簡単な手段によって作製できる効果がある。
【００１１】
請求項２記載の発明は、請求項１記載の発明の効果に加え、線条ファスナーエレメントとファスナーテープとを溶着固定した部分の線条ファスナーエレメントは、反転部がフランジの内壁面に当接する停止機構を備えたことによって、左右のファスナーエレメントの噛合頭部の反対側の反転部が縫糸よりも後退して突出し、フランジの内面に当接してストップさせるので、構造が簡単で体裁よく停止させる機能を発揮できる効果がある。
【００１２】
請求項３記載の発明は、請求項１記載の発明の効果に加え、線条ファスナーエレメントとファスナーテープとを溶着固定した部分の線条ファスナーエレメントは、反転部がフランジの先端部に当接する停止機構を備えたことによって、左右のファスナーエレメントの噛合頭部の反対側の反転部が縫糸よりも後退して突出し、フランジの先端に当接してストップさせるので、構造が簡単で的確に停止させる機能を発揮できる効果があるなど、この発明が奏する効果はきわめて顕著である。
【発明を実施するための最良の形態】
【００１３】
この発明における線条スライドファスナーの上止は、ポリアミド、ポリエステルの合成繊維のモノフィラメントをコイル状またはジグザグ状に形成して、線条ファスナーエレメント５を作製し、この線条ファスナーエレメント５をファスナーテープ１２の一側縁１３の表面に縫着してエンドレスのファスナーチエン９を形成する。このファスナーチエン９に所定のスライドファスナーの長さに相当する間隔で線条ファスナーエレメント５を除去したスペース部１０を作製し、このスペース部１０の一端に下止あるいは開き具を取付け、他端に上止１を取付けてスペース部１０でカットして通常タイプのスライドファスナーを完成させる。
【００１４】
また線条ファスナーエレメント５をＵ字状に折曲したファスナーテープ１２の折曲側縁１４に縫着してエンドレスのファスナーチエン９を形成し、このファスナーチエン９に所定間隔で線条ファスナーエレメント５を除去したスペース部１０を作製してスペース部１０に下止および上止１を取付けて、スペース部１０でカットして隠蔽タイプのスライドファスナーを完成させる。
【００１５】
上止１は、スペース部１０に隣接する複数個の線条ファスナーエレメント５をファスナーテープ１２の側縁１３または折曲側縁１４から内側へ縫糸１７に対して後退する形で押し込み、後退させた状態で、噛合頭部１９の近傍たとえば下辺と、ファスナーテープ１２とが接触する部分を超音波加工によって溶着Ｕ1 し固定して上止１を形成する。この上止１はコイル状またはジグザグ状の線条ファスナーエレメント５の上端部における噛合頭部１９と、噛合頭部１９の反対側すなわちファスナーテープ１２の内側に位置し、噛合頭部１９と脚部２１を介して連結する反転部２０とが他の噛合頭部１９と反転部２０よりもファスナーテープ１２の内側へ押し込められているため、挿通されたスライダー２５におけるフランジ２７の内壁面２９またはフランジ２７の先端部３０に当接して、スライダー２５の摺動を的確に停止させる機能を具有する。
【実施例１】
【００１６】
線条スライドファスナーにおける線条ファスナーエレメント５として合成繊維のモノフィラメントをコイル状に捲回してコイル状ファスナーエレメント６を作製し、またはモノフィラメントをジグザグ状に屈曲してジグザグ状ファスナーエレメント７を作製して用いる。
【００１７】
図１、２に示す実施例１の線条スライドファスナーの上止は、線条ファスナーエレメント５としてコイル状ファスナーエレメント６を用い、ファスナーテープ１２の側縁１３に沿って表面に縫糸１７により縫着するが、この際コイル状ファスナーエレメント６の内部に芯紐１６を挿通し、コイル状ファスナーエレメント６の噛合頭部１９がファスナーテープ１２の側縁１３から突出する状態で芯紐１６上を縫糸１７によって縫着してエンドレスのファスナーチエン９を作製する。
【００１８】
このファスナーチエン９に所定間隔すなわちスライドファスナーとなる単位長さ毎にスペース部１０を作製する。スペース部１０はコイル状ファスナーエレメント６における反転部２０側の上下脚部２１をカットして噛合頭部１９側を芯紐１６および縫糸１７から抜脱してスペース部１０を作製し、形成されたスペース部１０の一端に下止、他端に上止１を作製した後にスペース部１０でファスナーチエン９をカットして通常タイプのスライドファスナーを作製する。
【００１９】
上止１は、ファスナーチエン９に形成したスペース部１０に隣接するコイル状ファスナーエレメント６をファスナーテープ１２の側縁１３から噛合頭部１９を後退する形でファスナーテープ１２の内側へ押し込んで噛合頭部１９を側縁１３と略一致させ、コイル状ファスナーエレメント６の反転部２０を芯紐１６および縫糸１７から遠退く形で、コイル状ファスナーエレメント６の噛合頭部１９の近傍たとえば下辺と接触するファスナーテープ１２とを超音波加工によって溶着Ｕ1 してコイル状ファスナーエレメント６をファスナーテープ１２に固定する。固定されたコイル状ファスナーエレメント６の反転部２０は他のコイル状ファスナーエレメント６の反転部２０よりもファスナーテープ１２の内側へ突出するため、この部分を上止１としての機能を付加させる。
【００２０】
この上止１は、ファスナーチエン９に挿通したスライダー２５がコイル状ファスナーエレメント６を噛み合わせるべくコイル状ファスナーエレメント６の上端部に向けて摺動したとき、図１に示すように、スライダー２５の内部に形成したエレメント通路２８内にスライダー２５の肩口側から入り込む。このとき、上止１における噛合頭部１９は噛み合うことなく単に対接し、また上止１における反転部２０はエレメント通路２８の両側に突設したフランジ２７の内壁面２９に当接するので、上止１はエレメント通路２８内をスライダー２５の後口側へ向けて移動することができず、スライダー２５の摺動を容易に停止させることができる。さらに、ファスナーテープ１２の内側へ突出して空洞化している反転部２０側における重合する上下脚部２１を超音波加工によって溶着Ｕ2 することにより、より強固な上止１を形成することができる。なおスライダー２５の形態によっては上止１はフランジ２７の先端部３０に当接してスライダー２５の摺動を停止させることも簡単にでき、またコイル状ファスナーエレメント６の内部に芯紐１６を挿通することなく、コイル状ファスナーエレメント６のみを縫糸１７によって縫着することも可能であるが、コイル状ファスナーエレメント６を押入するとき縫糸１７から抜脱するのを防ぐ必要がある。
【実施例２】
【００２１】
図３，４に示す実施例２の線条スライドファスナーの上止は、線条ファスナーエレメント５としてジグザグ状ファスナーエレメント７を用い、実施例１と同様にファスナーテープ１２の側縁１３に沿って表面へ縫糸１７により縫着するが、ジグザグ状ファスナーエレメント７の内部に芯紐１６を挿通し、ジグザグ状ファスナーエレメント７の噛合頭部１９がファスナーテープ１２の側縁１３から突出する状態で芯紐１６上を縫糸１７によって縫着してエンドレスのファスナーチエン９を作製する。このファスナーチエン９に所定の間隔でスペース部１０を作製し、スペース部１０はジグザグ状ファスナーエレメント７における反転部２０側の上下脚部２１をカットして噛合頭部１９側を芯紐１６および縫糸１７から抜脱してスペース部１０を作製し、スペース部１０の一端に下止、他端に上止１を作製した後、スペース部１０でファスナーチエン９をカットして通常タイプのスライドファスナーを作製する。
【００２２】
上止１は、ファスナーチエン９に形成したスペース部１０に隣接するジグザグ状ファスナーエレメント７の複数個の噛合頭部１９をファスナーテープ１２の側縁１３から後退する形でファスナーテープ１２の内側へ押し込んで噛合頭部１９を側縁１３と略一致させ、ジグザグ状ファスナーエレメント７の反転部２０を芯紐１６および縫糸１７から遠退く形で、ジグザグ状ファスナーエレメント７の噛合頭部１９の近傍たとえば下辺と接触するファスナーテープ１２とを超音波加工によって溶着Ｕ1 してジグザグ状ファスナーエレメント７をファスナーテープ１２に固定する。固定されたジグザグ状ファスナーエレメント７の反転部２０は他のジグザグ状ファスナーエレメント７の反転部２０よりもファスナーテープ１２の内側へ突出するため、この部分を上止１としての機能を付加させる。
【００２３】
この上止１は、ファスナーチエン９に挿通したスライダー２５がジグザグ状ファスナーエレメント７を噛み合わせるべくジグザグ状ファスナーエレメント７の上端部に向けて摺動したとき、図３に示すように、スライダー２５の内部に形成したエレメント通路２８内にスライダー２５の肩口側から入り込む。このとき、上止１における噛合頭部１９は噛み合うことなく単に対接し、また上止１における反転部２０はエレメント通路２８の両側に突設したフランジ２７の内壁面２９に当接するので、上止１はエレメント通路２８内をスライダー２５の後口側へ向けて移動することができず、スライダー２５の摺動を容易に停止させることができる。さらにファスナーテープ１２の内側へ突出して空洞化している反転部２０側における重合する上下脚部２１を超音波加工によって溶着Ｕ2 することにより、より強固な上止１を形成することができる。
【実施例３】
【００２４】
図５〜７に示す実施例３の線条スライドファスナーの上止は、線条ファスナーエレメント５としてコイル状ファスナーエレメント６を用い、側端を内側へＵ字状に折曲したファスナーテープ１２の折曲側縁１４の表面に沿って縫糸１７により縫着するが、コイル状ファスナーエレメント６の内部に芯紐１６を挿通し、コイル状ファスナーエレメント６の噛合頭部１９がファスナーテープ１２の折曲側縁１４から突出する状態で芯紐１６上を縫糸１７によって縫着してエンドレスの隠蔽タイプのファスナーチエン９を作製する。このファスナーチエン９に所定の間隔でスペース部１０を作製する。スペース部１０はコイル状ファスナーエレメント６における反転部２０側の上下脚部２１をカットして噛合頭部１９側を芯紐１６および縫糸１７から抜脱してスペース部１０を作製し、スペース部１０の一端に下止、他端に上止１を作製してスペース部１０でファスナーチエン９をカットして隠蔽タイプのスライドファスナーを作製する。
【００２５】
上止１は、ファスナーチエン９に形成したスペース部１０に隣接するコイル状ファスナーエレメント６をファスナーテープ１２の折曲側縁１４から、図７に示すように噛合頭部１９を後退する形でファスナーテープ１２の内側へ押し込んで噛合頭部１９を折曲側縁１４と略一致させ、コイル状ファスナーエレメント６の反転部２０を芯紐１６および縫糸１７から遠退く形で、コイル状ファスナーエレメント６の噛合頭部１９の下辺におけるファスナーテープ１２に接触する部位と、ファスナーテープ１２とを超音波加工によって、溶着Ｕ1 してコイル状ファスナーエレメント６をファスナーテープ１２に固定する。固定されたコイル状ファスナーエレメント６の反転部２０は、固定されていないコイル状ファスナーエレメント６の他の反転部２０よりもファスナーテープ１２の内側へ突出するため、この部分を上止１としての機能を付加させる。
【００２６】
この上止１は、隠蔽タイプのファスナーチエン９に挿通したスライダー２５がコイル状ファスナーエレメント６を噛み合わせるべくコイル状ファスナーエレメント６の上端部に向けて摺動したとき、図６に示すように、上止１における反転部２０がファスナーテープ１２の内側に突出しているため、反転部２０がスライダー２５のフランジ２７の先端に当接する。これにより、上止１はスライダー２５のエレメント通路２８内に入り込むことができず、スライダー２５の摺動を停止させることができる。なお、上止１をスライダー２５の内部に形成したエレメント通路２８内に肩口側から入り込ませ、上止１における噛合頭部１９は噛み合うことなく単に対接し、また上止１における反転部２０をエレメント通路２８の両側に突設したフランジ２７の内壁面２９に当接させ、上止１がエレメント通路２８内をスライダー２５の後口側へ向けて移動することができないようにすることにより、スライダー２５の摺動を停止させるようにしてもよい。また内側へ突出して空洞化している反転部２０側において重合する上下脚部２１同士を超音波加工によって溶着Ｕ2 することにより、より強固な上止１を形成することも可能である。
【実施例４】
【００２７】
図８に示す実施例４の線条スライドファスナーの上止１は、線条ファスナーエレメント５としてコイル状ファスナーエレメント６を用い、ニードル織機によってファスナーテープ１２の側端部分に織り込まれる。コイル状ファスナーエレメント６は脚部２１を複数本の経糸３２によって締付け、ダブルピックの緯糸３３によってファスナーテープ１２の側縁１３を織成するとともに、コイル状ファスナーエレメント６の噛合頭部１９を側縁から突出する形態に織成する。
【００２８】
上述のように織成されたファスナーストリンガー１１は、所定間隔でコイル状ファスナーエレメント６における数個のエレメント６の噛合頭部１９側の露呈している上下の脚部２１をカットして、反転部２０からエレメント６を経糸３２より引き抜いてスペース部１０を形成し、このスペース部１０の一端に下止、他端に上止１を作製する。上止１はファスナーテープ１２の側縁１３から突出しているスペース部１０に隣接する複数個の噛合頭部１９をファスナーテープ１２の内側へ向けて押し込み、側縁１３と噛合頭部１９の先端とが略一致するように配して噛合頭部１９が不噛合状態に形成し、この部分のコイル状ファスナーエレメント６の下側の脚部２１とファスナーテープ１２とを溶着Ｕ1 して固定し、噛合頭部１９が絶対に噛合することがないように形成する。この不噛合部分におけるファスナーテープ１２の内側へ突出するコイル状ファスナーエレメント６の反転部２０を上下で重合する部分を場合によっては溶着Ｕ2 して固定し、この反転部２０をスライダー２５のフランジ２７の先端部３０またはフランジ２７の内壁面２９に当接させて、スライダー２５の摺動を停止させる機能を具有させる。
【実施例５】
【００２９】
図９に示す実施例５の線条スライドファスナーの上止１は、線条ファスナーエレメント５としてコイル状ファスナーエレメント６を用い、コイル状ファスナーエレメント６を経編機によってファスナーテープの側縁部分に編み込まれる。ファスナーテープ１２は全ウエールに１−０／０−１の鎖編糸３４と３−３／０−０の緯挿入糸３５とを配して交絡させ、Ｗ1 〜Ｗ3 には０−０／２−２の緯挿入糸３６を配して緯挿入糸３５と交錯させ、コイル状ファスナーエレメント６を編み込み固定するため、噛合頭部１９が側縁１３の鎖編糸３４から突出する状態に脚部２１をＷ2 ，Ｗ3 の鎖編糸３４で捕捉し締付けることによって、ファスナーストリンガー１１を編成する。
【００３０】
上述のように編成されたファスナーストリンガー１１は所定間隔でコイル状ファスナーエレメント６における数個のエレメント６の噛合頭部１９側の露呈している上下の脚部２１をカットして、反転部２０からエレメント６を鎖編糸３４より引き抜いてスペース部１０を形成し、このスペース部１０の一端に下止、他端に上止１を作製する。上止１はスペース部１０に隣接し側縁１３から突出している複数個の噛合頭部１９をファスナーテープ１２の内側へ向けて押し込み、側縁１３と噛合頭部１９の先端とが略一致するように配して噛合頭部１９が不噛合状態に形成し、この部分のコイル状ファスナーエレメント６の下側の脚部２１とファスナーテープ１２とを溶着Ｕ1 して固定し、噛合頭部１９が絶対に噛合することがないように形成する。この不噛合部分におけるファスナーテープ１２の内側へ突出するコイル状ファスナーエレメント６の反転部２０を上下で重合する部分を場合によっては溶着Ｕ2 して固定し、この反転部２０をスライダー２５のフランジ２７の先端部３０またはフランジ２７の内壁面２９に当接させて、スライダー２５の摺動を停止させる機能を具有させる。
【産業上の利用可能性】
【００３１】
この発明の通常タイプまたは隠蔽タイプの線条スライドファスナーの上止を備えたスライドファスナーの活用例としては、各種の衣服、例えばシャツ、スポーツシャツ、スポーツウェア、シャツウエストブラウス、ジャケットなどの打ち合わせ部分に使用するスライドファスナーとして好適である。上止は表面にバリがなく柔軟性も具備させているため、首などの肌に接触しても肌を傷つけることがなく、また手触りもよく不快感を与えない。
【図面の簡単な説明】
【００３２】
【図１】コイル状ファスナーエレメントを用いた通常タイプの線条スライドファスナーの要部を示す断面図である。
【図２】同上線条スライドファスナーの上止部分の断面図である。
【図３】ジグザグ状ファスナーエレメントを用いた通常タイプの線条スライドファスナーの要部を示す断面図である。
【図４】同上線条スライドファスナーの上止部分の断面図である。
【図５】コイル状ファスナーエレメントを用いた隠蔽タイプの線条スライドファスナーの背面図である。
【図６】同上線条スライドファスナーの要部を示す断面図である。
【図７】同上線条スライドファスナーの上止部分の断面図である。
【図８】コイル状ファスナーエレメントを織り込んだ線条スライドファスナーの上止の要部を示す正面図である。
【図９】コイル状ファスナーエレメントを編み込んだ線条スライドファスナーの上止の要部を示す正面図である。
【図１０】公知の線条スライドファスナーの上止部分の正面図である。
【符号の説明】
【００３３】
１            上止め
５            線条ファスナーエレメント
６            コイル状ファスナーエレメント
７            ジグザグ状ファスナーエレメント
１２            ファスナーテープ
１３            側縁
１４            折曲側縁
１６            芯紐
１７            縫糸
１９            噛合頭部
２０            反転部
２１            上下脚部
２５            スライダー
２７            フランジ
２９            内壁面
３０            先端部
Ｕ1 ，Ｕ2       溶着（部位）
【図１】
0004062617.tif 000002
【図２】
0004062617.tif 000003
【図３】
0004062617.tif 000004
【図４】
0004062617.tif 000005
【図５】
0004062617.tif 000006
【図６】
0004062617.tif 000007
【図７】
0004062617.tif 000008
【図８】
0004062617.tif 000009
【図９】
0004062617.tif 000010
【図１０】
0004062617.tif 000011